(57)【要約】【課題】瞬間的な電力消費量を抑えることができるために大きな電源装置を必要とせず、簡単な構成で高画質な画像を得ることが可能な画像記録装置とする。【解決手段】記録媒体２の幅方向全幅にノズル列を備えたライン方式の記録ヘッド１００ａと、記録媒体をその幅方向との直交方向に搬送する搬送装置４とを備えた画像記録装置１である。記録ヘッドは、記録媒体の幅方向においてそれぞれがノズル列１１１，１１２，１２１，１２２，１３１，１３２，１４１，１４２を有する３以上のノズル列ブロック１１０，１２０，１３０，１４０に分割され、ノズル列ブロックは、備えられたノズル列のインク吐出タイミングが、印字解像度と同期するインク吐出タイミング基準信号からそれぞれ異なる時間差を付けたタイミングとなるように、搬送装置による記録媒体の搬送方向Ｘにそれぞれのノズル列を互いにずらして配置されている。【選択図】        図２
2004299252.tif 000002
【特許請求の範囲】
【請求項１】
記録媒体の幅方向全幅にわたって、インクを吐出するノズルが配列されたノズル列を備えたライン方式の記録ヘッドと、
記録媒体を前記記録ヘッドに対向するようにして、記録媒体の幅方向と直交する方向に搬送する搬送装置と、
を備えた画像記録装置であって、
前記記録ヘッドは、記録媒体の幅方向においてそれぞれがノズル列を有する３以上のノズル列ブロックに分割され、
前記ノズル列ブロックは、備えられたノズル列のインク吐出タイミングが、印字解像度と同期するインク吐出タイミング基準信号からそれぞれ異なる時間差を付けたタイミングとなるように、前記搬送装置による記録媒体の搬送方向にそれぞれのノズル列を互いにずらして配置されていることを特徴とする画像記録装置。
【請求項２】
請求項１に記載の画像記録装置において、
前記記録ヘッドは、前記インク吐出タイミング基準信号と同時にインクを吐出する基準ノズル列がノズル列の中で記録媒体の搬送方向の最上流側に位置するように、前記基準ノズル列を有する基準ノズル列ブロックを配置していることを特徴とする画像記録装置。
【請求項３】
請求項１又は２に記載の画像記録装置において、
前記ノズル列ブロックは、全てのノズル列が互いに記録媒体の幅方向の同一直線上に並ばないように配置されていることを特徴とする画像記録装置。
【請求項４】
請求項１〜３のいずれか一項に記載の画像記録装置において、
インク吐出タイミング基準信号からの時間差の遅延量を変更することで、それぞれのノズル列ブロックにおけるノズル列のインク吐出タイミングを調整可能となっていることを特徴とする画像記録装置。
【発明の詳細な説明】
【０００１】
【発明の属する技術分野】
本発明は、画像記録装置に係り、特にライン方式の記録ヘッドを備えた画像記録装置に関する。
【０００２】
【従来の技術】
一般に、インクジェット記録方式の画像記録装置は、印刷時の騒音が比較的小さく、印字の品質が良好であるため、数多く使用されている。また、前記インクジェット記録方式の画像記録装置には、例えば、記録媒体の全幅にわたるノズル列を有して固定されたライン方式の記録ヘッドを持ち、記録媒体をその幅方向に対して直交する方向に搬送させながら画像を形成するものがある。
【０００３】
前記したようなライン方式の記録ヘッドを備えた画像記録装置においては、従来、記録ヘッドのノズル列が記録媒体の全幅にわたって一直線上に並んでいた。この場合、前記ノズル列では、インク吐出するノズルを全て同時に駆動することになる。そのため、瞬間的に大きな電力が必要となり、電源装置を大きなものにする必要が生じていた。
【０００４】
また、前記した問題の対策として、記録ヘッドをそれぞれノズル列が設けられた複数のノズル列ブロックに分割し、当該複数のノズル列ブロックを、例えば記録媒体の搬送方向に直交する幅方向の２つの列に、いわゆる千鳥状に交互に配置した装置が提案されている（例えば、特許文献１参照）。
【０００５】
【特許文献１】
特開２００１−１９９０７４号公報
【０００６】
【発明が解決しようとする課題】
しかし、前記したような複数のノズル列ブロックをいわゆる千鳥状に交互に配置した装置を採用しても、複数のノズル列ブロックのノズル列が同一直線上にあることになる。そのため、同一直線上にある複数のノズル列におけるノズルは同時に駆動させる必要があり、やはり瞬間的な電力消費量が大きくなるという問題は解消できなかった。
【０００７】
さらに、複数のノズル列を同一直線上に配置するために、ノズル列ブロックの位置関係を高精度に組み立てなければならないという問題も生じていた。ここで、ノズル列ブロックの位置精度が十分に確保できていないと、ノズル列ブロック毎に印字ラインに段差が生じ画像を劣化させる原因となってしまう。
【０００８】
また、複数のノズル列を厳密に同一直線上に配置するのが困難なため、複数のノズル列ブロックを概略同一直線上に配置し、当該概略同一直線上に配置された複数のノズル列ブロックのうちの１つを基準ノズル列ブロックとし、当該基準ノズル列ブロックのノズル列におけるインク吐出のタイミングに対して他のノズル列ブロックのノズル列におけるインク吐出のタイミングを調整して、記録媒体の幅方向における同一直線上にインク吐出が行えるようにすることも考えられている。
【０００９】
しかし、このような構成の場合では、概略同一直線上に配置された複数のノズル列ブロックにおけるノズル列同士の位置関係によっては、基準ノズル列ブロックのノズル列にインク吐出を指示するインク吐出タイミング基準信号に対して、他のノズル列ブロックにおけるノズル列へのインク吐出タイミングのためにマイナス側の時間補正を実施する可能性があるため、インク吐出タイミング基準信号を印字解像度以上にする必要があり、コストアップにつながるという問題が生じる。
【００１０】
【発明が解決しようとする課題】
本発明の課題は、瞬間的な電力消費量を抑えることができるために大きな電源装置を必要とせず、簡単な構成で高画質な画像を得ることが可能な画像記録装置を提供することである。
【００１１】
【課題を解決するための手段】
請求項１に記載の発明は、
記録媒体の幅方向全幅にわたって、インクを吐出するノズルが配列されたノズル列を備えたライン方式の記録ヘッドと、
記録媒体を前記記録ヘッドに対向するようにして、記録媒体の幅方向と直交する方向に搬送する搬送装置と、
を備えた画像記録装置であって、
前記記録ヘッドは、記録媒体の幅方向においてそれぞれがノズル列を有する３以上のノズル列ブロックに分割され、
前記ノズル列ブロックは、備えられたノズル列のインク吐出タイミングが、印字解像度と同期するインク吐出タイミング基準信号からそれぞれ異なる時間差を付けたタイミングとなるように、前記搬送装置による記録媒体の搬送方向にそれぞれのノズル列を互いにずらして配置されていることを特徴としている。
【００１２】
請求項１に記載の発明によれば、ノズル列ブロックが、備えられたノズル列毎で異なるインク吐出タイミングとなるように、搬送装置による記録媒体の搬送方向にそれぞれのノズル列を互いにずらして配置されているため、瞬間的な電力消費量を抑えることができる。また、このために、大きな電源装置を必要とせず、コストダウンにも貢献できる。
【００１３】
請求項２に記載の発明は、請求項１に記載の画像記録装置において、
前記記録ヘッドは、前記インク吐出タイミング基準信号と同時にインクを吐出する基準ノズル列がノズル列の中で記録媒体の搬送方向の最上流側に位置するように、前記基準ノズル列を有する基準ノズル列ブロックを配置していることを特徴としている。
【００１４】
請求項２に記載の発明によれば、インク吐出タイミング基準信号と同時にインクを吐出する基準ノズル列がノズル列の中で記録媒体の搬送方向の最上流側に位置するように、基準ノズル列を有する基準ノズル列ブロックを配置しているため、インク吐出タイミング基準信号に対して、他のノズル列ブロックにおけるノズル列へのインク吐出タイミングのためにマイナス側の時間補正を実施する必要がなくなり、画像記録装置の当該部位を簡単な構成とすることができる。
【００１５】
請求項３に記載の発明は、請求項１又は２に記載の画像記録装置において、
前記ノズル列ブロックは、全てのノズル列が互いに記録媒体の幅方向の同一直線上に並ばないように配置されていることを特徴としている。
【００１６】
請求項３に記載の発明によれば、全てのノズル列が互いに記録媒体の幅方向の同一直線上に並ばないように、それぞれのノズル列ブロックが配置されているため、簡単な構成で、瞬間的に大きな電力を消費することがない装置にすることができる。
【００１７】
請求項４に記載の発明は、請求項１〜３のいずれか一項に記載の画像記録装置において、
インク吐出タイミング基準信号からの時間差の遅延量を変更することで、それぞれのノズル列ブロックにおけるノズル列のインク吐出タイミングを調整可能となっていることを特徴としている。
【００１８】
請求項４に記載の発明によれば、厳密にノズル列ブロックの配置調整をしなくても、それぞれのノズル列のインク吐出タイミングを調整できるため、簡単な構成で高画質な画像を得ることができる。
【００１９】
【発明の実施の形態】
以下、本発明の実施の形態を、図１及び図２を参照して説明する。
図１は本発明に係る画像記録装置の実施の一形態を示したもので、この画像記録装置１の内部下方には、複数の記録媒体２を積層して収容する収容トレイ３が設けられている。この収容トレイ３の一端部上側には、画像を記録しようとする記録媒体２を一枚ずつ収容トレイ３から取り出す取出し装置５が設けられている。なお、記録媒体２としては、普通紙、再生紙、光沢紙等の各種紙、各種布地、各種不織布、樹脂、金属、ガラス等の材質からなるカットシート状の記録媒体２が適用可能である。
【００２０】
収容トレイ３の上方には、記録媒体２をその幅方向と直交する搬送方向Ｘに搬送する搬送装置４が配設されている。この搬送装置４には、記録媒体２を平面状に支持して水平方向に搬送する環状の搬送ベルト４１が、複数の張設ローラ４２により回転自在に張設されている。また、搬送装置４には、搬送ベルト４１と記録媒体２とが接触を開始する位置に、記録媒体２を平面状に搬送させるために搬送ベルト４１に押圧する押圧ローラ４３が回転自在に設けられている。
【００２１】
画像記録装置１の側部には、画像が記録された記録媒体２を排出する排出トレイ９が設けられている。
画像記録装置１の内部には、収容トレイ３から供給された記録媒体２を、搬送ベルト４１へ搬送し、記録媒体２が搬送ベルト４１の周面に沿って搬送された後に、搬送ベルト４１から排出トレイ９へ排出させる搬送経路１０が設けられている。この搬送経路１０の所定位置には、搬送方向Ｘに記録媒体２を搬送するための複数対の搬送ローラ１１，１１…が設けられている。
【００２２】
また、搬送ベルト４１の上部近傍には、搬送方向Ｘに沿って順に、ブラック（Ｂｋ）、シアン（Ｃ）、マゼンタ（Ｍ）、イエロー（Ｙ）の異なる種類のインクを記録媒体２に向かって吐出するノズル列（後述）が設けられた複数の記録ヘッド１００ａ，１００ｂ，１００ｃ，１００ｄが、それぞれ搬送ベルト４１の全幅にわたって設けられている。この記録ヘッド１００ａ，１００ｂ，１００ｃ，１００ｄとしては、ライン方式のものが用いられており、その吐出面と、搬送ベルト４１の周面とが対向するように配置されている。なお、前記ノズル列とは、インクを吐出する複数のノズルが略一直線上に配列されたものを指す。
【００２３】
次に、前記記録ヘッドについてさらに詳細に説明する。
なお、以下において、記録ヘッド１００ａ，１００ｂ，１００ｃ、１００ｄを代表して記録ヘッド１００ａを用いて説明する。さらに、記録ヘッド１００ａの構成として説明したものについては、それぞれ記録ヘッド１００ｂ，１００ｃ、１００ｄに適用可能であるとする。
【００２４】
図２に示すように、記録ヘッド１００ａは、記録媒体２の幅方向においてそれぞれがノズル列を有する３以上の複数のノズル列ブロックに分割されている。また、分割された３以上の複数のノズル列ブロックは、備えられたノズル列のインク吐出タイミングが、印字解像度と同期するインク吐出タイミング基準信号からそれぞれ異なる時間差を付けたタイミングとなるように、前記搬送装置４による記録媒体２の搬送方向Ｘにそれぞれのノズル列を互いにずらして配置されている。
【００２５】
この実施の形態では、前記記録ヘッド１００ａは、第１ノズル列ブロック１１０、第２ノズル列ブロック１２０、第３ノズル列ブロック１３０及び第４ノズル列ブロック１４０の４つのノズル列ブロックを備えている。また、第１ノズル列ブロック１１０には、第１ノズル列１１１及び第２ノズル列１１２が並行に並べて設けられている。前記第１ノズル列１１１と前記第２ノズル列１１２は、そのノズルの位相がノズル列方向に印字解像度ピッチだけずらして形成されている。これにより、例えば、第１ノズル列１１１及び第２ノズル列１１２の印字解像度がそれぞれ３６０ｄｐｉである場合に、位相をずらした２つのノズル列１１１，１１２からインクが吐出されて７２０ｄｐｉの印字解像度を得ることができる。これは、特に記録ヘッドの駆動方式がピエゾ方式である等のノズル解像度の高密度化が困難である場合に、低い解像度のノズル列を複数列、この実施の形態では２列並行に並べることにより高い解像度の画像が得られるため、所望の印字解像度を簡単な構成で得ることができる手段として有効なものである。
【００２６】
同様に、第２ノズル列ブロック１２０には、第３ノズル列１２１及び第４ノズル列１２２が並行に並べて設けられており、第３ノズル列ブロック１３０には、第５ノズル列１３１及び第６ノズル列１３２が並行に並べて設けられており、第４ノズル列ブロック１４０には、第７ノズル列１４１及び第８ノズル列１４２が並行に並べて設けられている。
【００２７】
また、前記４つのノズル列ブロック１１０，１２０，１３０，１４０は、記録媒体２の搬送方向Ｘに沿って、全てのノズル列１１１，１１２，１２１，１２２，１３１，１３２，１４１，１４２が互いに記録媒体２の幅方向の同一直線上に並ばないようにずらした状態で配置されている。そして、これらノズル列１１１，１１２，１２１，１２２，１３１，１３２，１４１，１４２から記録媒体２の記録幅全幅に対してインク吐出可能となっている。
【００２８】
具体的に述べると、まず、この実施の形態では、第１ノズル列ブロック１１０における第１ノズル列１１１と第２ノズル列１１２との距離ｔ１、第２ノズル列ブロック１２０における第３ノズル列１２１と第４ノズル列１２２との距離ｔ５、第３ノズル列ブロック１３０における第５ノズル列１３１と第６ノズル列１３２との距離ｔ６、第４ノズル列ブロック１４０における第７ノズル列１４１と第８ノズル列１４２との距離ｔ７は、いずれも同じ長さに構成されている。
【００２９】
また、この実施の形態では、第１ノズル列ブロック１１０における第１ノズル列１１１と第２ノズル列１１２との距離ｔ１よりも、第１ノズル列ブロック１１０における第１ノズル列１１１と第２ノズル列ブロック１２０における第３ノズル列１２１との距離ｔ２の方が長くなっている。さらに、第１ノズル列ブロック１１０における第１ノズル列１１１と第２ノズル列ブロック１２０における第４ノズル列１２２との距離ｔ２＋ｔ５よりも、第１ノズル列ブロック１１０における第１ノズル列１１１と第３ノズル列ブロック１３０における第５ノズル列１３１との距離ｔ３の方が長くなっている。またさらに、第１ノズル列ブロック１１０における第１ノズル列１１１と第３ノズル列ブロック１３０における第６ノズル列１３２との距離ｔ３＋ｔ６よりも、第１ノズル列ブロック１１０における第１ノズル列１１１と第４ノズル列ブロック１４０における第７ノズル列１４１との距離ｔ４の方が長くなっている。
【００３０】
従って、この実施の形態では、ノズル列間の搬送方向Ｘの距離が、ｔ１＜ｔ２＜ｔ２＋ｔ５＜ｔ３＜ｔ３＋ｔ６＜ｔ４＜ｔ４＋ｔ７という位置関係になるようにそれぞれのノズル列ブロック１１０，１２０，１３０，１４０が配置されており、全てのノズル列１１１，１１２，１２１，１２２，１３１，１３２，１４１，１４２が互いに記録媒体２の幅方向の同一直線上に並ばないように配置されている。
【００３１】
また、ノズル列間の距離関係としては、この実施の形態のものに限らず、例えば、ｔ２＜ｔ１＜ｔ２＋ｔ５＜ｔ３＜ｔ４＜ｔ３＋ｔ６＜ｔ４＋ｔ７というように異なる位置関係でノズル列が同一直線上に並ばないように配置されていても良い。なお、この実施の形態のように、ノズル列ブロック１１０，１２０，１３０，１４０における記録媒体２の搬送方向Ｘの並び順を、記録媒体２の幅方向で隣り合うノズル列ブロック同士が前後に隣接しないようにすることにより、例えば第３ノズル列ブロック１３０と第４ノズル列ブロック１４０のようにノズル列ブロック同士を前後方向で重ねることができ、記録ヘッド１００ａ全体の大きさをコンパクトにすることができる。
【００３２】
そして、前記記録ヘッド１００ａは、例えば、搬送装置４の搬送ローラ１１の一部に取り付けられたエンコーダ（図示省略）を読み取る信号波形に基づき制御装置（図示省略）から印字解像度と同期するインク吐出タイミング基準信号が送信されるようになっており、当該インク吐出タイミング基準信号と同時にインクを吐出する基準ノズル列がノズル列の中で記録媒体２の搬送方向Ｘの最上流側に位置するように、前記基準ノズル列を有する基準ノズル列ブロックを配置している。
【００３３】
この実施の形態では、第１ノズル列１１１が基準ノズル列となっており、また、第１ノズル列１１１を有する第１ノズル列ブロック１１０が基準ノズル列ブロックとなっている。そして、他のノズル列１１２，１２１，１２２，１３１，１３２，１４１，１４２のインク吐出タイミングが、インク吐出タイミング基準信号からそれぞれ異なる時間差を付けた所定のタイミングに設定されるように、ノズル列ブロック１１０，１２０，１３０，１４０が、搬送装置４による記録媒体２の搬送方向Ｘにそれぞれのノズル列を互いにずらして配置されている。なお、当該インク吐出タイミング基準信号からの時間差の遅延量は変更可能となっており、それぞれのノズル列ブロックにおけるノズル列のインク吐出タイミングを正確に調整可能となっている。
【００３４】
次に、この実施の形態の作用について説明する。
まず、画像記録装置１に記録する画像に関する画像情報が送られると、記録ヘッド１００ａ，１００ｂ，１００ｃ，１００ｄが動作する。具体的には、取出し装置５が動作して、収容トレイ３に収容された最上位の記録媒体２を取出し、搬送ローラ１１が回転動作してこの取出された記録媒体２を搬送する。
【００３５】
そして、記録媒体２の先端部が搬送ベルト４１まで到達したら、押圧ローラ４３が記録媒体２の先端部を搬送ベルト４１の周面に押圧して保持する。搬送ベルト４１は張設ローラ４２によって回転しているので、その回転に伴って記録媒体２は搬送される。記録媒体２が記録ヘッド１００ａの位置まで送られると、記録媒体２に対して、記録ヘッド１００ａからブラックインクが吐出される。
【００３６】
詳述すると、まず、記録媒体２が、記録ヘッド１００ａの第１ノズル列ブロック１１０における第１ノズル列１１１のブラックインク吐出位置に達するタイミングでインク吐出タイミング基準信号が発信されて、当該第１ノズル列１１１からブラックインクが吐出される。また、所定の時間差で第２ノズル列１１２からブラックインクが吐出される。この実施の形態では、距離ｔ１分の時間差が設けられている。さらに、所定の時間差、すなわち距離ｔ２分の時間差で第２ノズル列ブロック１２０における第３ノズル列１２１からブラックインクが吐出される。またさらに、所定の時間差、すなわち距離ｔ２＋ｔ５分の時間差で第４ノズル列１２２からブラックインクが吐出される。このように、第３ノズル列ブロック１３０及び第４ノズル列ブロック１４０からも、順次ブラックインクが吐出される。
【００３７】
なお、当該８つのノズル列１１１，１１２，１２１，１２２，１３１，１３２，１４１，１４２によって、記録媒体２の記録幅全幅に対してブラックインクが吐出可能となっている。さらに、例えば第１ノズル列１１１から吐出されるブラックインクの吐出位置と第３ノズル列１２１から吐出されるブラックインクの吐出位置とで記録媒体２に記録される画像にずれが生じないように、インク吐出タイミング基準信号からの時間差の遅延量を変更することで、インク吐出タイミングが調整されている。
【００３８】
このとき、前記第１ノズル列１１１〜第８ノズル列１４２までのノズル列全てが同一直線上に並ばないようになっているため、瞬間的に大きな電力が必要となることがない。
【００３９】
続いて、前記記録ヘッド１００ａと同様に、記録ヘッド１００ｂからシアンインクが吐出される。同様に、記録ヘッド１００ｃからマゼンタインクが記録媒体２に吐出される。また同様に、記録ヘッド１００ｄからイエローインクが記録媒体２に吐出される。
【００４０】
全ての色が吐出された後、記録媒体２の先端部が、搬送ベルト４１の周面から離隔されると、記録媒体２は、搬送ローラ１１により搬送されて、排出トレイ９に排出される。
【００４１】
以上のように、この実施の形態における画像記録装置１によれば、ノズル列ブロックが、備えられたノズル列毎で異なるインク吐出タイミングとなるように、搬送装置による記録媒体の搬送方向にそれぞれのノズル列を互いにずらして配置されているため、瞬間的な電力消費量を抑えることができる。また、このために、大きな電源装置を必要とせず、コストダウンにも貢献できる。
【００４２】
また、この実施の形態では、インク吐出タイミング基準信号と同時にインクを吐出する基準ノズル列がノズル列の中で記録媒体の搬送方向の最上流側に位置するように、基準ノズル列を有する基準ノズル列ブロックを配置しているため、インク吐出タイミング基準信号に対して、他のノズル列ブロックにおけるノズル列へのインク吐出タイミングのためにマイナス側の時間補正を実施する必要がなくなり、画像記録装置の当該部位を簡単な構成とすることができる。
【００４３】
さらに、この実施の形態では、全てのノズル列が互いに記録媒体の幅方向の同一直線上に並ばないように、それぞれのノズル列ブロックが配置されているため、簡単な構成で、瞬間的に大きな電力を消費することがない装置にすることができる。
【００４４】
またさらに、この実施の形態では、厳密にノズル列ブロックの配置調整をしなくても、それぞれのノズル列のインク吐出タイミングを調整できるため、簡単な構成で高画質な画像を得ることができる。
【００４５】
なお、本発明は上記実施の形態に限らず適宜変更可能であるのは勿論である。
例えば、この実施の形態では、画像記録装置において使用するインクとして、ブラック（Ｂｋ）、シアン（Ｃ）、マゼンタ（Ｍ）、イエロー（Ｙ）の４色のインクを用いたが、これに限るものではなく、適宜の色及び色数のインクを使用する画像記録装置で良い。また、使用するインクの種類も適宜のもので良い。その際、画像記録装置の記録ヘッドは、使用するインクの色及び種類に応じて適宜の構成とすれば良い。
さらに、画像記録装置において使用するインクが、光の照射により硬化する光硬化性インクであっても良い。この場合は、各記録ヘッドの搬送方向の下流側に、記録ヘッドから吐出され着弾したインクに対して所定波長の光を照射してインクを硬化させる光照射装置が設けられる。
【００４６】
【発明の効果】
請求項１に記載の発明によれば、ノズル列ブロックが、備えられたノズル列毎で異なるインク吐出タイミングとなるように、搬送装置による記録媒体の搬送方向にそれぞれのノズル列を互いにずらして配置されているため、瞬間的な電力消費量を抑えることができる。また、このために、大きな電源装置を必要とせず、コストダウンにも貢献できる。
【００４７】
請求項２に記載の発明によれば、インク吐出タイミング基準信号と同時にインクを吐出する基準ノズル列がノズル列の中で記録媒体の搬送方向の最上流側に位置するように、基準ノズル列を有する基準ノズル列ブロックを配置しているため、インク吐出タイミング基準信号に対して、他のノズル列ブロックにおけるノズル列へのインク吐出タイミングのためにマイナス側の時間補正を実施する必要がなくなり、画像記録装置の当該部位を簡単な構成とすることができる。
【００４８】
請求項３に記載の発明によれば、全てのノズル列が互いに記録媒体の幅方向の同一直線上に並ばないように、それぞれのノズル列ブロックが配置されているため、簡単な構成で、瞬間的に大きな電力を消費することがない装置にすることができる。
【００４９】
請求項４に記載の発明によれば、厳密にノズル列ブロックの配置調整をしなくても、それぞれのノズル列のインク吐出タイミングを調整できるため、簡単な構成で高画質な画像を得ることができる。
【図面の簡単な説明】
【図１】本発明の一実施形態に係る画像記録装置の概略構成を示す図である。
【図２】図１の画像記録装置における記録ヘッドの概略構成を示す拡大底面図である。
【符号の説明】
１      画像記録装置
２      記録媒体
４      搬送装置
１００ａ，１００ｂ，１００ｃ，１００ｄ  記録ヘッド
１１０      基準ノズル列ブロック
１２０，１３０，１４０  ノズル列ブロック
１１１      基準ノズル列
１１２，１２１，１２２，１３１，１３２，１４１，１４２  ノズル列
Ｘ      搬送方向
【図１】
2004299252.tif 000003
【図２】
2004299252.tif 000004